(57)【特許請求の範囲】
【請求項１】
壁立上り型の建屋構造の軒下側壁と壁間のような狭間隙部分に設置される換気装置であって、室内側に配置される吸排気部材と、これに隣接させて室外側に配置される防火部材とから成り、前記吸排気部材は、一端から他端に抜ける通気路が縦横に多数並設されたものであって、前記通気路が上下方向に向くように設置され、前記防火部材は、対向する一対の側面と、通気口が形成された傾斜底面を有していて、前記対向する側面の一方又は双方に不燃性熱膨張材が定着されたものであって、前記一対の側面は、前記通気路と平行に延びるように設置されることを特徴とする換気装置。
【請求項２】
前記防火部材の前記側面のいずれか一方に内方水平方向に延びる制御面を設けた請求項１に記載の換気装置。
【発明の詳細な説明】
【０００１】
【発明の属する技術分野】
本発明は、換気装置、より詳細には、軒天を通して室内外の換気を行う際の外気導入口となる軒天換気口や、屋根水切りと壁面間の換気部、土台水切りと壁面間の換気部等に設置される換気装置で、特に、所謂壁立上り型の建屋構造の軒下側壁と壁間のような狭間隙部分に設置される換気装置に関するものである。
【０００２】
【従来の技術】
近年、建築される建物は、壁を通して浸透してくる室内からの湿った空気を室外に流出させるために、外壁と内壁の間に通気層を設け、また、軒下に有孔板を配した構造となっている。この通気層並びに軒下有孔板から建物内に流入する空気は、屋根裏を通って外部に流出する。そのため、従来より屋根裏には種々の形状を有する換気口あるいは換気装置が設けられている。同様に、屋根水切りと壁面間や土台水切りと壁面間にも換気装置が配備される。
【０００３】
特許第２６８３１０９号は、この用途に用いられる吸排気部材を開示するもので、それは、幅方向（設置時における上下方向）に貫通する通気孔を全長に亘って連設したプラスチックプレートを複数枚積層し、前記積層したプラスチックプレートをヒートカッターにて切断し、該切断面を熱融着固定してなるものである。
【０００４】
この吸排気部材は、例えば、鼻隠し板と軒下天井ボードとの間に、その通気孔を上下方向に向けて設置されて、その通気孔の長さ故に、雨雪の侵入を阻止しつつ屋内外の通気を可能ならしめる。
【０００５】
しかるに、火災発生時には、火炎や熱気がこの吸排気部材を溶融させ、あるいは、通り抜けて屋内に侵入し、また逆に、屋内側の火炎や熱気が外部に出ることによって延焼を引き起こす虞がある。
【０００６】
【発明が解決しようとする課題】
上記吸排気部材の場合には上述したような問題があったので、本発明はそのような問題のない、即ち、所謂壁立上り型の建屋構造の軒下側壁と壁間のような狭間隙部分に設置するのに適した換気装置であって、当該設置個所において、雨雪の侵入を阻止しつつ十分な換気性能を確保し、また、火災発生時において火炎並びに熱気の通過を阻止することができ、以て延焼をくい止めることが可能な換気装置を提供することを課題とする。
【０００７】
【課題を解決するための手段】
本発明は、壁立上り型の建屋構造の軒下側壁と壁間のような狭間隙部分に設置される換気装置であって、室内側に配置される吸排気部材と、これに隣接させて室外側に配置される防火部材とから成り、前記吸排気部材は、一端から他端に抜ける通気路が縦横に多数並設されたものであって、前記通気路が上下方向に向くように設置され、前記防火部材は、対向する一対の側面と、通気口が形成された傾斜底面を有していて、前記対向する側面の一方又は双方に不燃性熱膨張材が定着されたものであって、前記一対の側面は、前記通気路と平行に延びるように設置されることを特徴とする換気装置、を以て上記課題を解決した。
【０００８】
上記発明において、前記防火部材の前記側面のいずれか一方に内方水平方向に延びる制御面を設けることがある。
【０００９】
【発明の実施の形態】
本発明の実施の形態を添付図面に依拠して説明する。本発明に係る換気装置は、吸排気部材１と、防火部材３とから成り、所謂壁立上り型の建屋構造における軒下側壁２６と壁２７との間（図１）、屋根水切りと壁面間、土台水切りと壁面間等の狭間隙個所に設置される。防火部材３は、上記各場合において、それぞれ吸排気部材１の直ぐ下側（外側）に配置される。
【００１０】
吸排気部材１としては、従来用いられている種々のものをそのまま用いることができる。図３に示す吸排気部材１は、上記特許第２６８３１０９号の発明によるもので、設置時において上下方向に貫通する通気路１３を多数並設したプラスチックプレート１２を複数枚積層し、これをヒートカッターで所定長さに切断することにより、切断と同時に切断面を熱融着固定して成るものである。その下面（図３において矢印Ａで示す面）は水平面の場合もあるが、図示したように斜面にすることもある。
【００１１】
防火部材３は、通気口１０を設けた底面９と、軒下側壁２６並びに壁２７に当接して固定される側面１４、１５を有する。本換気装置は、軒下側壁２６と壁２７との間の狭い間隙に設置することになるので、通気口１０に十分な開口面積を確保するため、底面９は斜面にする。狭間隙となる屋根水切りと壁面間や土台水切りと壁面間等に設置するものについても、底面９が斜面とされる。
【００１２】
防火部材３は、図２に示されるように、通気口１０を設けた１枚の板材を折返し、折返し部分を重ねるようにして成形することができる、
【００１３】
１１は不燃性熱膨張材で、公知のグラファイト系熱膨張性シートやブチルゴム含有黒鉛シートを用いることができる。不燃性熱膨張材１１は、側面１４、１５の双方の内面に定着することとしてもよいが、側面１４、１５の間隔が狭いため、通例、側面１４、１５のいずれか一方に定着すれば足りる。あるいは、通気口１０を塞がないようにして底面９に定着することもできる。吸排気部材１は、防火部材３の直ぐ上に固定する。
【００１４】
側面１４、１５のいずれか一方の側から、内方水平方向に延出する制御面を設けることもある。この制御面は、両側面１４、１５の中間位まで延ばすことにより、火炎の進路を制御し、火勢で不燃性熱膨張材１１が脱落し、その機能を果たせなくなることを防止する。
【００１５】
かかる構造の換気装置において、室外の空気は、防火部材３の通気口１０を通って吸排気部材１に達し、その通気路１３を経て室内側に流入する。また、室内の空気は、上記と逆に流れて室外に排気される。
【００１６】
この空気の流れに対する抵抗は余りないが、強風雨時において室内側に流入しようとする雨又は雪は、防火部材２の通気口１０はさ程抵抗なく通り抜けるものの、吸排気部材１の細い通気路１３に進入しようとする際、表面張力が作用することもあって、通気路１３内に深く進入することを阻止されるため、室内側に入り込むことはない。
【００１７】
また、火災発生時に火炎や高熱気が防火部材３に達すると、不燃性熱膨張材１１が膨張して防火部材３内部を充填し、通気口１０を完全に閉塞する。そのため、火炎や高熱気がそれ以上進入することが阻止される。
【００１８】
【発明の効果】
本発明は上述した通りであって、所謂壁立上り型の建屋構造の軒下側壁と壁間のような狭間隙の換気部において、十分な換気性能を保持しつつ、火災発生時において火炎並びに高熱気の通過を阻止することができ、以て火勢を殺ぎ、延焼をくい止めることが可能なる効果がある。
【図面の簡単な説明】
【図１】本発明の実施例の施工状態図である。
【図２】図１に示す実施例における防火部材の構成を示す図である。
【図３】本発明において用いられる吸排気部材の構成例を示す図である。
【符号の説明】
１    吸排気部材
３    防火部材
９    底面
１０    通気口
１１    不燃性熱膨張材
１２    プラスチックプレート
１３    通気路
１４    側面
１５    側面
【図１】
0003792553.tif 000002
【図２】
0003792553.tif 000003
【図３】
0003792553.tif 000004